(57)【要約】      （修正有）【課題】ハンガーを提供する。【解決手段】ハンガーは、中空のハンガー本体２及びフック１を備え、フック１は、クロームメッキの鋼材を曲げ成型によって加工してなるものであり、ハンガー本体２に回転可能に取り付けられ、ハンガー本体２には、衣類を吊り下げるための吊り棒２１が設けられ、吊り棒２１は、ハンガー本体２の中空部に設けられ、且つハンガー本体２と同一面となるように設けられ、ハンガー本体２の表面は、厚みが０．７ｍｍのナイロンパイル層で被覆され、ハンガー本体２の幅と厚みとの比は、３：１である。さらに、ハンガー本体の表面をナイロンパイル層で被覆することによって、ハンガーの滑り止め機能を向上させ、衣類が滑り落ちて壊れるのを防止することができる。ハンガー本体の幅を広げることによって、ハンガーの滑り止め機能を有効に向上させることができるとともに、重なったときに絡むのを防止することができるので、ユーザの使用感を向上させることができる。【選択図】図１
0003216765.tif 000002
【実用新案登録請求の範囲】
【請求項１】
中空のハンガー本体（２）及びフック（１）を備えるハンガーであって、
前記フック（１）は、クロームメッキの鋼材を曲げ成型によって加工してなるものであり、ハンガー本体（２）に回転可能に取り付けられ、
前記ハンガー本体（２）には、衣類を吊り下げるための吊り棒（２１）が設けられ、前記吊り棒（２１）は、ハンガー本体（２）の中空部に設けられ、且つハンガー本体（２）と同一面となるように設けられ、
前記ハンガー本体（２）の表面は、厚みが０．７ｍｍのナイロンパイル層（３）で被覆され、
前記ハンガー本体（２）の幅（Ｌ）と厚み（Ｈ）との比は、３：１であり、
前記ハンガー本体（２）の両肩部の位置には、弧状溝（２２）が設けられ、前記フックの端部には、球状突起（１１）が設けられている
ことを特徴とするハンガー。
【請求項２】
前記ハンガー本体（２）は、ＡＢＳ樹脂からなることを特徴とする請求項１に記載のハンガー。
【考案の詳細な説明】
【技術分野】
【０００１】
本考案は、日用品分野に属し、特にハンガーに関する。
【背景技術】
【０００２】
ハンガーは、昔からある日用品の一種である。中国の周時代から礼儀作法が定められ、それ以降、貴族階層は身なりに気を配るようになった。このような要求を満たすために、昔から、衣類を吊り下げる専用の道具が出現した。各時代のハンガーは、その形状が異なり、名称も異なっていた。春秋時代には、横に架けられた木の棒を用いて、衣類を吊り下げるようになり、その木の棒を「桁」又は「木施」と称していた。現在のハンガーは、その構成が昔より簡単になり、１つの吊り下げ部及び上着の肩部を広げて支える支持部を備えた形状をしている。その構成が簡単であるので、今日まで幅広く使用されている。このため、衣類を干す場合や収納する場合には、通常ハンガーで衣類を支えて、吊り下げるようにしている。
【０００３】
従来のハンガーは、機能が単一であり、上着又はズボンを吊り下げることしかできず、その他のものを吊り下げることができないという問題が存在している。そして、ハンガーフックと本体の方向が固定され、必要に応じて調整することができないという問題が存在している。また、従来のハンガーの多くは、鉄線を曲げてなるものであり、重ねると互いに絡みやすい。そして、ハンガーの表面が平滑になっているので、滑り止め機能が低い。
【考案の概要】
【考案が解決しようとする課題】
【０００４】
本考案は、従来技術の上記問題を鑑みて、従来技術における、機能が単一であり、衣類の方向を調整できず、重ねると容易に絡んでしまい、滑り止め機能が低い等の問題を解決することができるハンガーを提供することを課題とする。
【課題を解決するための手段】
【０００５】
上記の技術問題を解決するために、本考案は、以下の技術案を提供する。すなわち、ハンガーは、中空のハンガー本体及びフックを備え、前記フックは、クロームメッキの鋼材を曲げ成型により加工してなるものであり、ハンガー本体に回転可能に取り付けられ、前記ハンガー本体には、衣類を吊り下げるための吊り棒が設けられ、前記吊り棒は、ハンガー本体の中空部に設けられ、且つハンガー本体と同一面となるように設けられ、前記ハンガー本体の表面は、厚みが０.７ｍｍのナイロンパイル層で被覆され、前記ハンガー本体の幅Ｌと厚みＨとの比は、３：１であり、前記ハンガー本体の両肩部の位置には、弧状溝が設けられ、前記フックの端部には、球状突起が設けられている。
【０００６】
本考案のより好ましい技術案は、前記ハンガー本体は、ＡＢＳ樹脂からなる。
【考案の効果】
【０００７】
本考案の有益な効果は以下の通りである。ハンガー本体の中空部に吊り棒を設けることによって、機能が単一であるという問題を解決した。さらに、ハンガー本体の表面をナイロンパイル層で被覆することによって、ハンガーの滑り止め機能を向上させ、衣類が滑り落ちて壊れるのを防止することができる。ハンガー本体の幅を広げることによって、ハンガーの滑り止め機能を有効に向上させることができるとともに、重ねたときに絡むのを防止することができるので、ユーザの使用感を向上させることができる。
【０００８】
以下、図面及び実施例を参照しながら本考案をより詳しく説明する。
【図面の簡単な説明】
【０００９】
【図１】本考案の実施例１におけるハンガーの構成模式図である。
【図２】本考案の実施例１におけるハンガーの部分断面図である。
【考案を実施するための形態】
【００１０】
図面を参照しながら本考案の好ましい実施例を詳しく説明する。
【００１１】
図１、２に示すように、本実施例のハンガーは、中空のハンガー本体２及びフック１を備えている。前記フック１は、ハンガー本体２に回転可能に取り付けられている。ハンガー本体２には、衣類を吊り下げるための吊り棒２１が設けられている。吊り棒２１は、ハンガー本体２の中空部に設けられるとともに、ハンガー本体２と同一面となるように設けられている。ハンガー本体２の表面は、厚みが０．７ｍｍのナイロンパイル層３で被覆されている。ハンガー本体の幅Ｌと厚みＨとの比は３：１である。ハンガー本体２の中空部に吊り棒２１を設けることによって、ネクタイやベルト等を吊り棒２１に掛けることができ、ハンガーの機能が増加し、機能が単一であるという問題が解決した。フック１をハンガー本体２に回転可能に取り付けることによって、衣類の方向を調整することができるので、使用するのに便利になる。そして、衣類の吊り下げ位置によってフック１の回転角度を調整することができるので、壁に接触するのを防止することができる。また、ハンガー本体２の表面にナイロンパイル層を被覆することによって、ハンガーの滑り止め機能が向上し、衣類が滑り落ちて壊れるのを防止することができる。ハンガー本体２の幅Ｌと厚みＨとの比を３：１に設定することによって、すなわち、本実施例においてはハンガー本体の幅Ｌを１５ｍｍとし、厚みＨを５ｍｍとすることによって、ハンガー本体の幅が広がるので、ハンガー本体２の全体と衣類との接触面を増加させることができる。これによって、ハンガーの滑り止め能力を有効に向上させることができるとともに、重なったときに絡むのを防止することができるので、ユーザの使用感を向上させることができる。
【００１２】
さらに、本実施例において、ハンガー本体２は、ＡＢＳ（Ａｃｒｙｌｏｎｉｔｒｉｌｅ  Ｂｕｔａｄｉｅｎｅ  Ｓｔｙｒｅｎｅ）製のものである。ＡＢＳプラスチックは、ＡＢＳ樹脂と称され、五大汎用樹脂の１つであり、その耐衝撃性、耐熱性、耐低温性、耐薬品性及び電気特性に優れている。さらに、加工が容易である、製品寸法が安定している、表面光沢性が良い等の特徴を有している。ＡＢＳ製のものは、従来の鋼製及び木製のものに比べて、重さが軽く、加工が簡単である。フックは、クロームメッキの鋼材を曲げ成型によって加工してなるものであり、容易に変形せず、錆が生じ難く、荷重は１０キロまで達することができる。フック１の端部には、球状突起１１が設けられている。球状突起１１を設けることによって、吊り下げるときのハンガーの安定性を有効に向上させることができ、球状突起１１の係止によって、ハンガーが不安定なために衣類が落下するのを有効に防ぐことができる。ハンガー本体２の両肩部の位置には、スリップを吊り下げるための弧状溝２２が設けられているので、スリップの落下を有効に防止することができる。
【００１３】
上記の実施例は、本考案の技術案を説明するためのものに過ぎず、なんら制限するものではないと理解すべきである。当業者は、上記実施例に記載の技術案を変更、又はその一部の技術特徴を均等に置き換えることができる。これらの変更及び置き換えは、本考案の請求の範囲内に属する。
【図１】
0003216765.tif 000003
【図２】
0003216765.tif 000004